(57)【特許請求の範囲】
【請求項１】
建物の一階に、その床の一部を他の部分よりも高くした高床部分を設け、その高床部分の下に収納空間を設け、その収納空間の床を、建物の一階の床よりも低くしてあり、前記高床部分の上に特別居住空間を設けてあり、前記建物の一階に天井及び床面積の大きな大規模居住空間を設け、その大規模居住空間内に、前記特別居住空間を設けてあり、前記大規模居住空間は、前記特別居住空間と、高天井居住空間とに区別され、それら特別居住空間と高天井居住空間との間に腰壁程度の高さを持つ部分間仕切りが配置されており、前記特別居住空間と高天井居住空間は、同一高さの連続している天井を有していることを特徴とする、収納付き住宅。
【請求項２】
請求項１に記載の収納付き住宅において、前記特別居住空間が和室であることを特徴とする、収納付き住宅。
【発明の詳細な説明】
【０００１】
【発明の属する技術分野】
本発明は、蔵のような大型の収納空間を建物内に備えた収納付き住宅に関する。
【０００２】
【背景の技術】
近年の住宅は、高品質化に加えて大型化や高級化が進み、それに対応して、外観のみならず、建物内部の重厚感や開放感などを持たせることも重要な要素となっている。
【０００３】
また、一方では、開放感を持たせることは勿論であるが、長年生活する上で必要な大きな収納空間を建物内に設備し、利便性や居住性を高めることも望まれている。さらに、日本の伝統的な美しさや落ち着きを誇る和室等への配慮、部屋の独立性への配慮等も行い、洋風の内装にも溶け込むようなモダンな和室の雰囲気を造り出すことも望まれている。
【０００４】
建物内部の開放感を持たせるためには、従来から、居住空間を小さく区画せずに大空間としたり、大きな窓を設けたり、あるいは家具の配置に工夫することなどが行われている。
【０００５】
また、大きな収納空間としては、従来から、蔵のような大型の収納やウオークインクローゼット等を設備することがが行われている。
【０００６】
【発明が解決しようとする課題】
しかしながら、開放感を持たせるために、単に大空間としたり、大きな窓を設ける方法では、部屋どうしが連続するために独立性を付与することができないという問題がある。
【０００７】
また、蔵のような大型の収納を建物内に設備した場合、収納自体が独立空間となるために、その分、大空間を限られたスペース内に配置する設計が困難になる問題もある。
【０００８】
本発明の目的は、蔵のような大型の収納空間の配置に工夫することによって、複数の居住空間が連続する大規模居住空間を建物内に設けて開放感や重厚感を高めることができ、しかも、各居住空間の独立性も充分に確保することができる収納付き住宅を提供することにある。
【０００９】
本発明の他の目的は、床の高さに工夫することによって、洋風の内装にも溶け込むようなモダンな和室の雰囲気を造り出すことができる収納付き住宅を提供することにある。
【００１０】
【課題を解決するための手段】
本発明に係る住宅を図面を参照して説明すると、建物１の一階に、その床２ａの一部を他の部分よりも高くした高床部分３ａを設け、その高床部分３ａの下に大型の収納空間４を設け、その収納空間４の床４ａを、建物１の一階の床２ａよりも低くしてあり、前記高床部分３ａの上に特別居住空間３を設けてあり、前記建物の一階に天井７及び床面積の大きな大規模居住空間Ｓを設け、その大規模居住空間Ｓ内に、前記特別居住空間３を設けてあり、前記大規模居住空間Ｓは、前記特別居住空間３と、高天井居住空間２とに区別され、それら特別居住空間３と高天井居住空間２との間に腰壁程度の高さを持つ部分間仕切り５が配置されており、前記特別居住空間３と高天井居住空間２は、同一高さの連続している天井７を有していることを特徴とする。
【００１１】
このような本発明によれば、蔵のような大型の収納空間４の配置に工夫することによって、複数の居住空間２、３が連続する大規模居住空間Ｓを建物１内に設けて開放感や重厚感を高めることができ、しかも、各居住空間２、３の独立性も充分に確保することができる。
【００１２】
また、前記高床部分３ａの上に特別居住空間３を設けたので、特別居住空間３の床３ａが一段高くなっているので、この特別居住空間３の独立性を、隣接する居住空間２との床の高さによって確保することができる。
【００１３】
その場合、前記特別居住空間３を和室とすることが好ましい。特別居住空間３の床３ａは一段高いので、その床３ａの上に畳を敷き和室として利用することで、高位にあるモダンな和室の雰囲気を醸し出すことができる。
【００１４】
また、建物１の一階に天井７及び床面積の大きな大規模居住空間Ｓを設け、その大規模居住空間Ｓ内に、前記特別居住空間３を設けたので、大規模居住空間Ｓを洋風とし、特別居住空間３を和風とした場合、洋風の内装にも溶け込むようなモダンな和室の雰囲気を造り出すことができる。
【００１５】
また、前記大規模居住空間Ｓは、前記特別居住空間３と、高天井居住空間２とに区別され、それら特別居住空間３と高天井居住空間２との間に腰壁程度の高さを持つ部分間仕切り５が配置されているので、部分間仕切り５によって、特別居住空間３の独立性をさらに高めることができる。
【００１６】
また、前記建物１の基礎がスラブコンクリート層６ａを含むコンクリート基礎６であり、そのコンクリート基礎６の一部を他の部分よりも一段下げて前記収納空間４の床４ａ及び壁６ｃの一部を構成していることも好ましい。このようにすれば、スラブコンクリート層６ａの高さを一段下げて、収納空間４のスラブコンクリート層６ｂ及び壁６ｃを形成することで、連続したコンクリート基礎６を構成することができる。
【００１７】
また、前記収納空間４に対応する領域のコンクリート基礎６の施工時に掘削された土砂を、収納空間４以外のコンクリート基礎６のスラブコンクリート層６ａ下に充填してある構成とすることもできる。このようにすれば、基礎施工時の排出土砂の処理を基礎全体の施工において、必要箇所へ移動して処理することができるので、残土処理費用等を無くし、施工コストの低減を図ることもできる。
【００１８】
【発明の実施の形態】
以下、本発明の実施の形態を図面に基づいて説明する。
【００１９】
図１は、本発明を一階に大空間を持つ二階建て住宅に適用した実施の形態を示す縦断面図である。
【００２０】
これらの図において、１は建物全体を示す。この建物１は、軽量鉄骨造の建物で、鉄骨ユニット住宅として施工可能であるが、ユニットに限らず現場施工あるいは、パネル工法による住宅にも適用可能である。
【００２１】
建物１の一階には、天井７の高い大規模居住空間Ｓと、天井８が通常の高さの通常居住空間９とが設けられ、二階には、通常の天井高さの居住空間２１、２２、２３がそれぞれ設けられている。
【００２２】
大規模居住空間Ｓは、高天井居住空間２と、特別居住空間３とに区別され、それら特別居住空間３と高天井居住空間２との間に腰壁程度の高さを持つ部分間仕切り５が配置されている。高天井居住空間２は、その床２ａから天井７までの高さが、例えば３ｍ２０ｃｍ前後もある居住空間であり、例えば、リビングやダイニング等に利用される。
【００２３】
特別居住空間３は、高天井居住空間２の床２ａ部分よりも高くした高床部分３ａとしてあり、その高床部分３ａの下に、例えば蔵型収納として利用する大型の収納空間４を設けている。高床部分３ａの高さは、ここでは６０ｃｍ前後としている。
【００２４】
収納空間４の床４ａは、建物１の一階の床（高天井居住空間２の床や通常居住空間９の床）２ａよりも低くしている。即ち、一段下げている。その段差は６０ｃｍ前後である。従って、この収納空間の床４ａから天井４ｂまでの高さは１２０ｃｍ前後となるが、法規上の制約から１２０ｃｍ未満に設定している。
【００２５】
高床部分３ａの上に特別居住空間３を設けた構成としているが、この特別居住空間３の床３ａは一段高いので、ここではその床３ａの上に畳を敷き和室として利用している。勿論、和室に限ることはないが、畳を敷くだけで、高位にあるモダンな和室の雰囲気を醸し出すことができるからである。この特別居住空間３の天井は、隣の高天井居住空間２の天井７と共通である。したがって、特別居住空間３の天井高さは通常の天井高さとなっている。
【００２６】
建物１の基礎は、スラブコンクリート層６ａを含むコンクリート基礎６であり、そのコンクリート基礎６の一部を他の部分よりも一段下げて、収納空間４の床４ａ及び壁６ｃの一部を構成している。このように、スラブコンクリート層６ａの高さを一段下げて、収納空間４のスラブコンクリート層６ｂ及び壁６ｃを形成することで、連続したコンクリート基礎６を構成することができるからである。
【００２７】
また、収納空間４に対応する領域のコンクリート基礎６の施工時に掘削された土砂を、収納空間４以外のコンクリート基礎６のスラブコンクリート層６ａ下に充填した構成としている。これにより、基礎施工時の排出土砂の処理を基礎全体の施工において、必要箇所へ移動して処理することができるので、残土処理費用等を無くし、施工コストの低減を図ることもできる。
【００２８】
本実施の形態では、建物１の一階に、その床２ａの一部を他の部分よりも高くした高床部分３ａを設け、その高床部分３ａの下に大型の収納空間４を設け、その収納空間４の床４ａを、建物１の一階の床２ａよりも低くした構成とし、蔵のような大型の収納空間４の配置に工夫することによって、複数の居住空間２、３が連続する大規模居住空間Ｓを建物１内に設けて開放感や重厚感を高めることができ、しかも、各居住空間２、３の独立性も充分に確保することができる。
【００２９】
また、特別居住空間３の床３ａを一段高くしているので、この特別居住空間３の独立性を、隣接する居住空間２との床の高さによって確保することができる。また、特別居住空間３を和室とすることによって、特別居住空間３の床３ａは一段高いので、その床３ａの上に畳を敷き和室として利用することで、高位にあるモダンな和室の雰囲気を醸し出すことができる。
【００３０】
また、建物１の一階に天井７及び床面積の大きな大規模居住空間Ｓを設け、その大規模居住空間Ｓ内に、前記特別居住空間３を設けた構成とすることによって、大規模居住空間Ｓを洋風とし、特別居住空間３を和風とした場合、天井７を共通とした洋風の内装にも溶け込むようなモダンな和室の雰囲気を造り出すことができる。
【００３１】
また、大規模居住空間Ｓは、特別居住空間３と、高天井居住空間２とに区別し、それら特別居住空間３と高天井居住空間２との間に腰壁程度の高さを持つ部分間仕切り５を配置した構成とすることによって、特別居住空間３の独立性をさらに高めることができる。
【００３２】
なお、高天井居住空間２と特別居住空間３との間の部分間仕切り５は除いても良い。この部分間仕切り５を除くことによって、全体の開放感を更に高めることができる。
【００３３】
図２は、本発明の他の実施の形態を示す概略断面図である。この実施の形態では、高天井居住空間２と、特別居住空間３との間の部分間仕切りに代えて、通常間仕切り１０を配置した構成としたものである。従って、ここでは大規模居住空間は設けられていない。その他の構成については、図１で示した実施の形態と同様であるので、同一の符号を付してその説明を省略する。この実施の形態では、大規模居住空間を無くしているので、ユニット工法住宅に適用した場合に効果的である。
【００３４】
図３は、本発明のさらに他の実施の形態を示す概略断面図である。この実施の形態でも、高天井居住空間２と、特別居住空間３との間の部分間仕切りに代えて、通常間仕切り１０を配置した構成としている。従って、ここでも大規模居住空間は設けられていない。また、一階の床２ａと収納空間４の床４ａの高さを同一高さとした関係で、特別居住空間３の床３ａの高さが実質的に高くなり、１２０ｃｍ前後の段差αが形成されている。この結果、特別居住空間３の天井７及び高天井居住空間２の天井７もさらに高くしている。その他の構成については、図１あるいは図２で示した実施の形態と同様であるので、同一の符号を付してその説明を省略する。
【００３５】
この実施の形態でも、大規模居住空間を無くしているので、ユニット工法住宅に適用した場合に効果的である。さらに、高天井居住空間２と特別居住空間３との床の段差α、及び特別居住空間３と二階の居住空間２３との床の段差βが１２０ｃｍ前後と小さいために、階段での移動に便利な形態となる。また、二階建ての建物内に床の高さの異なる４つの居住空間が形成されるために、変化に富んだ重厚感のある建物を表現することが可能になる。
【００３６】
【発明の効果】
以上のように、本発明によれば、蔵のような大型の収納空間の配置に工夫することによって、複数の居住空間が連続する大規模居住空間を建物内に設けて開放感や重厚感を高めることができ、しかも、各居住空間の独立性も充分に確保することができる収納付き住宅を提供することができる。
【００３７】
また、床の高さに工夫することによって、洋風の内装にも溶け込むようなモダンな和室の雰囲気を造り出すことができる。
【図面の簡単な説明】
【図１】本発明の実施の形態に係る住宅の縦断面図である。
【図２】本発明の他の実施の形態に係る住宅の概略縦断面図である。
【図３】本発明のさらに他の実施の形態に係る住宅の概略縦断面図である。
【符号の説明】
１  建物（住宅）
２  高天井居住空間
３  特別居住空間
４  大型の収納空間
５  部分間仕切り
６  コンクリート基礎
６ａ、６ｂ  スラブコンクリート層
６ｃ  壁
７  天井
８  天井
９  通常居住空間
２ａ、３ａ、４ａ  床
Ｓ  大規模居住空間
【図１】
0003776288.tif 000002
【図２】
0003776288.tif 000003
【図３】
0003776288.tif 000004